(57)【要約】【課題】撮影された動画から静止画を切り出す場合に、切り出された画像の撮影情報として、より多くの情報を記録可能なカメラを提供する。【解決手段】本発明のカメラ１０は、動画撮影時に、撮影開始時刻及び撮影終了時刻のすくなくとも一方を記録可能な動画情報記録手段３２Ａと、前記撮影された動画を構成する一連の静止画から、特定の静止画を選択する画像選択手段３３と、前記特定の静止画を記録可能な静止画記録手段３１と、前記特定の静止画の撮影時刻を、前記動画情報記録手段３２Ａで記録した撮影開始時刻又は撮影終了時刻から演算する演算手段３４と、前記演算手段３４で演算された撮影時刻を記録可能な静止画情報記録手段３１Ａと、を備えることを特徴とする。【選択図】図３
2010288212.tif 000002
【特許請求の範囲】
【請求項１】
動画撮影時に、撮影開始時刻及び撮影終了時刻のすくなくとも一方を記録可能な動画情報記録手段と、
前記撮影された動画を構成する一連の静止画から、特定の静止画を選択する画像選択手段と、
前記特定の静止画を記録可能な静止画記録手段と、
前記特定の静止画の撮影時刻を、前記動画情報記録手段で記録した撮影開始時刻又は撮影終了時刻から演算する演算手段と、
前記演算手段で演算された撮影時刻を記録可能な静止画情報記録手段と、
を備えることを特徴とするカメラ。
【請求項２】
請求項１に記載のカメラであって、
前記演算手段は、前記特定の静止画の撮影時刻を、前記動画の撮影開始時刻又は撮影終了時刻、及び動画撮影時のフレームレートから演算すること、
を特徴とするカメラ。
【請求項３】
請求項２に記載のカメラであって、
前記静止画情報記録手段で記録される情報は、Ｅｘｉｆ形式であること、
を特徴とするカメラ。
【請求項４】
撮影開始時刻及び撮影終了時刻のすくなくとも一方が記録されている動画ファイルを構成する一連の静止画から、特定の静止画を選択する画像選択手段と、
前記特定の静止画を記録可能な静止画記録手段と、
前記特定の静止画の撮影時刻を、前記撮影開始時刻又は前記撮影終了時刻、及び動画撮影時のフレームレートから演算する演算手段と、
前記演算手段で演算された撮影時刻を記録可能な静止画情報記録手段と、
を備えること、を特徴とする動画編集用プログラム。
【請求項５】
請求項４に記載のプログラムであって、
前記静止画情報記録手段で記録される情報はＥｘｉｆ形式であること、
を特徴とする動画編集用プログラム。
【発明の詳細な説明】
【技術分野】
【０００１】
本発明は、静止画撮影及び動画撮影が可能で、さらに、撮影された動画から静止画を切り出すことのできるカメラ及び動画編集用プログラムに関するものである。
【背景技術】
【０００２】
近年、静止画撮影を主目的とするカメラにおいても、動画撮影が可能なカメラが開発されている。また、撮影された動画から静止画を切り出すことができる画像出力装置も開発されている（例えば、特許文献１参照）。そして、静止画撮影を行うカメラにおいては、撮影画像ごとに撮影情報としてカメラの機種名、シャッタースピードや絞り値、撮影時刻等の情報がＥｘｉｆ形式で保存されるようになっている。
【先行技術文献】
【特許文献】
【０００３】
【特許文献１】特開２００５−２２９２３７号公報
【発明の概要】
【発明が解決しようとする課題】
【０００４】
従来、上述のような動画撮影が可能なカメラにおいて動画撮影を行う場合、撮影中に変化する情報は保存されない。本発明の課題は、撮影された動画から静止画を切り出すことが可能なカメラにおいて、その切り出された画像の撮影情報として、より多くの情報を記録可能なカメラ及び動画編集用プログラムを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、動画撮影時に、撮影開始時刻及び撮影終了時刻のすくなくとも一方を記録可能な動画情報記録手段（３２Ａ）と、前記撮影された動画を構成する一連の静止画から、特定の静止画を選択する画像選択手段（３３）と、前記特定の静止画を記録可能な静止画記録手段（３１）と、前記特定の静止画の撮影時刻を、前記動画情報記録手段（３２Ａ）で記録した撮影開始時刻又は撮影終了時刻から演算する演算手段（３４）と、前記演算手段（３４）で演算された撮影時刻を記録可能な静止画情報記録手段（３１Ａ）と、を備えることを特徴とするカメラ（１０）である。
請求項２に記載の発明は、請求項１に記載のカメラ（１０）であって、前記演算手段（３４）は、前記特定の静止画の撮影時刻を、前記動画の撮影開始時刻又は撮影終了時刻、及び動画撮影時のフレームレートから演算すること、を特徴とするカメラ（１０）である。
請求項３に記載の発明は、請求項２に記載のカメラ（１０）であって、前記静止画情報記録手段（３１Ａ）で記録される情報は、Ｅｘｉｆ形式であること、を特徴とするカメラ（１０）である。
請求項４に記載の発明は、撮影開始時刻及び撮影終了時刻のすくなくとも一方が記録されている動画ファイルを構成する一連の静止画から、特定の静止画を選択する画像選択手段（３３）と、前記特定の静止画を記録可能な静止画記録手段（３１）と、前記特定の静止画の撮影時刻を、前記撮影開始時刻又は前記撮影終了時刻、及び動画撮影時のフレームレートから演算する演算手段（３４）と、前記演算手段（３４）で演算された撮影時刻を記録可能な静止画情報記録手段（３１Ａ）と、を備えること、を特徴とする動画編集用プログラムである。
請求項５に記載の発明は、請求項４に記載のプログラムであって、前記静止画情報記録手段（３１Ａ）で記録される情報はＥｘｉｆ形式であること、を特徴とする動画編集用プログラムである。
なお、符号を付して説明した構成は、適宜改良してもよく、また、少なくとも一部を他の構成物に代替してもよい。
【発明の効果】
【０００７】
本発明によれば、撮影された動画から静止画を切り出す場合に、切り出された画像の撮影情報として、より多くの情報を記録可能なカメラ及び動画編集用プログラムを提供することができる。
【図面の簡単な説明】
【０００８】
【図１】本発明の一実施形態であるカメラのブロック構成図である。
【図２】カメラの制御部における画像記録にかかる機能ブロック図である。
【図３】動画から静止画を取り出すフローチャートである。
【図４】動画から静止画を取り出す際における時刻推定の説明図である。
【発明を実施するための形態】
【０００９】
以下、図面等を参照して、本発明の実施形態について説明する。
図１は、本発明の一実施形態であるカメラ１０のブロック構成図である。図２は、カメラ１０の制御部３０における画像記録にかかる機能ブロック図である。図３は、動画から静止画を取り出すフローチャートである。図４は、動画から静止画を取り出す際における時刻推定の説明図である。
本実施形態におけるカメラ１０は、静止画および動画の双方を記録可能な一眼レフカメラである。カメラ１０は、さらに、撮影された動画を再生させ、その中の任意の画像を静止画として取り出して記録する機能を有する。
【００１０】
カメラ１０は、撮影レンズ１１と、ミラー１２と、シャッター１３と、撮像素子１４と、Ａ／Ｄ変換回路１５と、タイミングジェネレータ１６と、を備えている。また、カメラ１０は、画像処理部２０と、当該カメラ１０の動作を統括的に制御する制御部３０とを備えている。さらに、カメラ１０は、画像表示装置１７と、操作部材１８と、情報表示装置１９と、画像データを保存する記録媒体４０と、を備えている。
【００１１】
撮影レンズ１１は、複数のレンズ群（図では１枚のレンズとして簡略化して示してある）によって構成されており、被写体像を撮像素子１４に結像させる。
ミラー１２は、撮影レンズ１１から撮像素子１４に至る被写体光の光路中に介設され、被写体光を反射屈曲させて図示しない光学ファインダーに導く。ミラー１２は、撮影時には被写体光の光路中から揺動して退避（ミラーアップ）し、撮影が終了すると復帰する、いわゆるクイックリターンミラーである。
【００１２】
撮像素子１４は、撮影レンズ１１によって結像された被写体像を電気信号に変換するたとえばＣＭＯＳ型等の光電変換素子である。
Ａ／Ｄ変換回路１５は、撮像素子１４から出力されるアナログの画像信号をデジタル信号に変換する。
タイミングジェネレータ１６は、撮像素子１４に対してタイミング信号を与える。
【００１３】
画像処理部２０は、画像処理回路２１、イメージメモリ２２、圧縮回路２３、表示回路２４、等により構成されている。
画像処理回路２１は、Ａ／Ｄ変換回路１５から入力されるデジタル画像信号をイメージメモリ２２に一旦格納すると共に、イメージメモリ２２に保存されている画像データに対して各種画像処理を行う。
【００１４】
イメージメモリ２２は、バッファメモリであって、撮影した複数の画像データを一時的に保存する。
圧縮回路２３は、画像処理回路２１で処理された画像データをＪＰＥＧ等の方式で圧縮処理する。
表示回路２４は、撮影した画像などを当該カメラ１０が備える後述する表示装置で表示するための処理を行う。
【００１５】
制御部３０は、図示しないがＣＰＵおよび制御プログラムが格納された記憶装置等を備えており、当該カメラ１０の各構成要素を統括的に制御する。
制御部３０は、図２の機能ブロック図に示すように、静止画記録を行う静止画記録部３１と、動画記録部を行う動画記録部３２と、を備える。静止画記録部３１は静止画と共に当該静止画に関する画像情報を記録する静止画情報記録部３１Ａを含み、動画記録部３２は動画と共に当該動画に関する画像情報を記録する動画情報記録部３２Ａを含む。また、動画を構成する一連の静止画から特定の画像を選択する画像選択部３３を備える。さらに、画像選択部３３によって選択された動画中における特定の画像を静止画として保存する際に、動画情報記録部３２Ａによって記録された画像情報から保存する静止画の撮影時刻を演算する時刻演算部３４を備える。
制御部３０における上記の各機能部（静止画記録部３１，動画記録部３２，静止画情報記録部３１Ａ，動画情報記録部３２Ａ，画像選択部３３，時刻演算部３４）は、制御部３０が備える制御プログラムによって実現される。
【００１６】
画像表示装置１７は、ＴＦＴ液晶ディスプレイ等によって構成され、表示回路２４にて生成された画像等のデータや各種設定メニューを表示する。
操作部材１８は、電源スイッチやレリーズボタンおよび各種の設定操作ボタン類を含む。
情報表示装置１９は、液晶パネル等によって構成され、当該カメラ１０における設定状態（絞り値やシャッター速度等）を表示する。
記録媒体４０は、カメラ１０が備えるスロットに着脱可能なメモリーカード等であって、画像データを保存する。
【００１７】
そして、カメラ１０は、撮影準備段階ではミラー１２により被写体像を図示しない光学ファインダーに導く。これによって使用者（撮影者）が光学ファインダーを介して被写体像を確認できる。
撮影は、操作部材１８の操作による指令に従って、制御部３０の制御下で行われる。
静止画撮影の場合は、操作部材１８の操作に応じて独立した静止画が撮影（記録）される。動画撮影の場合には、１秒間にたとえば２４〜３０コマの静止画像が取り込まれ（撮影され）る。動画は、これらの静止画像を連続して再生することで得られる。
【００１８】
静止画撮影時においては、操作部材１８（レリーズスイッチ）が操作されると、ミラー１２がアップ（被写体光路から退避）状態となってシャッター１３が開き、これによって被写体像が撮像素子１４に結像し、シャッター１３が閉じるまでの光（被写体光）を蓄積する。撮像素子１４に蓄積された光情報はアナログ量として出力され、Ａ／Ｄ変換回路１５によってデジタル信号（デジタル画像情報）に変換される。
デジタル画像情報は、画像処理部２０における画像処理回路２１に入力され、画像処理回路２１において、ホワイトバランスの調整やＪＰＥＧへの圧縮処理が行われて、制御部３０における静止画記録部３１によって記録媒体４０に静止画ファイルとして保存される。
【００１９】
ここで、制御部３０における静止画記録部３１は、ＪＰＥＧで圧縮された静止画情報を、デジタルカメラ間で互換性を有する規格：ＤＣＦ（Ｄｅｓｉｇｎ  ｒｕｌｅ  ｏｆ  Ｃａｍｅｒａ  Ｆｉｌｅ  ｓｙｓｔｅｍ）に基づいて、Ｅｘｉｆファイルに記録する。また、同時に、静止画情報記録部３１Ａが、当該画像に関する種々の情報を記録する。記録する情報には、カメラ名、カメラメーカー名、絞り値やシャッター速度および露光補正等の露出条件、撮影時刻など多くの情報が含まれる。
【００２０】
動画撮影時には、ミラー１２はアップ状態のまま、シャッター１３は開いたままとされ、被写体光は常時撮像素子１４に投影される。撮像素子１４は、静止画撮影時とは異なり、いわゆるローリングシャッターという方式で順次画像を取り込む。順次取り込まれた画像は、画像処理回路２１においてホワイトバランスの調整やＪＰＥＧ圧縮等が行われて、制御部３０における動画記録部３２によって記録媒体４０に動画ファイルとして記録されていく。この動作は、動画撮影終了操作が行われるまで継続される。
【００２１】
ここで、制御部３０における動画記録部３２は、１秒間に所定のフレーム（コマ数）の画像を、たとえばＭｏｔｉｏｎ  Ｊｐｅｇ等の方式で記録媒体４０に動画ファイルとして記録する。動画情報記録部３２Ａは、当該動画像に関する種々の撮影情報を動画ファイルに添付して記録する。動画の場合には、静止画のような明確な規格は定められていないが、動画情報記録部３２Ａは、たとえば、静止画の場合に準拠した形で情報を記録する。
【００２２】
動画撮影に関する情報としては、撮影中に変化しない情報と、変化する情報とがある。変化しない情報とは、たとえば、カメラ名、カメラメーカー名、レンズ情報、色空間等である。また、変化する情報には、時刻や自動露出が行われた場合の露出情報、ズーミングした場合におけるレンズの焦点距離などがある。この変化する情報は、撮影開始時および撮影終了時の両方、またはその何れか一方における情報が記録される。
【００２３】
撮影されて記録媒体４０に記憶された静止画および動画は、操作部材１８の操作によって、画像表示装置１７に表示される。また、当該カメラ１０にケーブルを介して接続されたディスプレイ等にも表示可能となっている。動画再生の場合には、早送り、一時停止およびコマ送り等の操作が可能となっている。
【００２４】
つぎに、撮影・記録された動画からの静止画を取り出す際における、画像の選択・保存について、図３に示すフローチャートに従って説明する。
動画から静止画を取り出して保存する際には、動画ファイルに保存された動画を画像表示装置１７に再生し、静止画として保存したい画像を選択して行う。なお、静止画としての記録は、静止画撮影の場合と同様のＪＰＥＧ形式で行う。
【００２５】
操作部材１８の操作によって、動画ファイルに保存された動画の再生が指令されると、動画情報が動画ファイルから画像処理回路２１に読み込まれ、表示回路２４を介して画像表示装置１７に再生表示される。（Ｓ０１）
【００２６】
ついで、操作者によって、動画中における静止画として保存したい画像の探し出しが行われる。すなわち、当該画像が画像表示装置１７に表示された状態で、一時停止状態とされる。（Ｓ０２）
この画像の探索および一時停止は、操作者が、動画再生中に表示早送りやコマ送り等の操作で静止画として保存したい画像を探し、当該画像が表示された時点で、操作部材１８を操作して一時停止を指令することで行う。Ｍｏｔｉｏｎ  Ｊｐｅｇは静止画の集まりなので、このような静止画表示は可能である。
【００２７】
特定の画像が画像表示装置１７に表示された状態において、操作部材１８の指令によって静止画として保存の指令が判定される。（Ｓ０３）
ここで、画像表示装置１７に表示された画像の静止画としての保存が指令されると、制御部３０における画像選択部３３が、動画を構成する一連の静止画の中から当該静止画を選択する。（Ｓ０４）
【００２８】
ついで、制御部３０における時刻演算部３３が、当該動画ファイルに添付された撮影情報の内の、撮影開始時刻情報に基づいて、当該静止画における時刻を推定演算する。（Ｓ０５）
前述したように、Ｍｏｔｉｏｎ  Ｊｐｅｇ等のファイルは、静止画の連続として記録されている。このため、動画中の特定の静止画を、コマ送り等を行って一時停止させて選択した場合、その画像が撮影開始から何コマ目であるかは把握できる。すなわち、図４に示すように、選択画像の撮影開始からのコマ数をＸとし、撮影速度が１秒間あたりＮコマ（フレームレートＮ／秒）とすると、Ｘコマ目の選択画像は、撮影開始からＸ／Ｎ秒後に撮影されたこととなる。この値を撮影開始時刻に加算することで、推定撮影時刻が得られる。時刻演算部３３はこのような演算を行って、その推定撮影時刻を撮影情報とする。
【００２９】
そして、制御部３０における静止画記録部３１は、選択された画像を静止画ファイル（ＪＰＥＧファイル）に保存し、同時に、静止画情報記録部がステップ４において得られた推定時刻情報と、および動画撮影時における変化しない情報とを、撮影情報としてＤＣＥに基づいたＥｘｉｆ形式で記録する。（Ｓ０６）
なお、動画撮影時における変化しない情報とは、前述したように、たとえば、カメラ名、カメラメーカー名、レンズ情報、色空間等である。
これにより、静止画として最も有用で重要な時刻を、撮影情報として付加して記録することが可能となる。
【００３０】
以上、本実施形態によると、以下の効果を有する。
（１）動画撮影可能なカメラ１０で撮影した動画ファイルから特定の静止画を抜き出して保存する際に、その静止画における撮影時刻が、撮影時の共通情報と共に保存される。このため、元々静止画で撮影したときとほぼ同様にカメラや静止画処理用アプリケーションソフトでの利用が可能となる。
【００３１】
（変形形態）
以上、説明した実施形態に限定されることなく、以下に示すような種々の変形や変更が可能であり、それらも本発明の範囲内である。
（１）本実施形態では、動画ファイルからの静止画の取り出しを、カメラ１０において制御部３０が格納保持したプログラムに基づいて実行する例である。しかし、本発明は、これに限らず、パーソナルコンピュータ等のコンピュータに対して、上述した処理ステップを実行させて動画ファイルから静止画を取り出すプログラムとして提供しても良い。
【００３２】
すなわち、各手段を実行させるためのプログラムを、それぞれ記録した記録媒体（例えば、ＣＤ−ＲＯＭ、フレキシブルディスク、ＲＡＭカード等）によって、または、通信手段等を介して提供しても良い。その場合、動画情報は、コンピュータが備える記憶装置または記録媒体に記録されたものを用いれば良いため、動画記録部３２（動画情報記録部３２Ａを含む）は必須ではない。
【００３３】
（２）また、本実施形態では、動画情報をＭｏｔｉｏｎ  Ｊｐｅｇのファイルに保存し、このファイルの動画内から静止画を取り出す例を説明した。しかし、動画の保存形態が、時間的にも圧縮して動画保存を行うもの（たとえばＭＰＥＧ４やＨ．２６４等）であっても適用可能である。その場合には、補完して形成した画像の時刻を推定する。
（３）さらに、本実施形態では、動画撮影開始の時刻を基準とし、この撮影時刻に基づいて静止画における撮影時刻を推定した。しかし、基準とする時刻は撮影開始時に限らず撮影終了時であっても良い。
なお、実施形態及び変形形態は、適宜組み合わせて用いることもできるが、詳細な説明は省略する。また、本発明は以上説明した実施形態によって限定されることはない。
【符号の説明】
【００３４】
１０：カメラ、１７：画像表示装置、１８：操作部材、２０：画像処理部、２２：イメージメモリ、２３：圧縮回路、２４：表示回路、３０：制御部、３１：静止画記録部、３１Ａ：静止画情報記録部、３２：動画記録部、３２Ａ：動画情報記録部、３３：画像選択部、３４：時刻演算部
【図１】
2010288212.tif 000003
【図２】
2010288212.tif 000004
【図３】
2010288212.tif 000005
【図４】
2010288212.tif 000006